(57)【要約】【課題】給電ダクトを設置位置に合わせて容易に変形させて設置でき、電気機器のレイアウトを自由に変更させることができる給電ダクトを提供する。【解決手段】ライティングダクト１は、そのダクト本体５が細長い四角筒状をなす。そして、そのダクト本体５の一部に四角筒状の蛇腹部６を形成した。【選択図】図３
2011249129.tif 000002
【特許請求の範囲】
【請求項１】
内部に給電部を配置した細長いダクト本体に対して、そのダクト本体の給電面に相対向して配置されて前記給電部からの電力を供給する電気機器を取り付けられるようにした給電ダクトであって、
前記ダクト本体の一部に、形状変形部位を形成したことを特徴とする給電ダクト。
【請求項２】
請求項１に記載の給電ダクトにおいて、
前記ダクト本体の一部に形成した形状変形部位は、蛇腹であることを特徴とする給電ダクト。
【請求項３】
請求項１又は２に記載の給電ダクトにおいて、
前記ダクト本体は、その一側に接続端子を設けたことを特徴とする給電ダクト。
【請求項４】
請求項１〜３のいずれか１に記載の給電ダクトにおいて、
前記給電ダクトは、ダクト本体の内部に１次コイルと、前記１次コイルを励磁する１次コイル用回路とを備えた非接触給電ダクトであり、
前記電気機器は、内部に２次コイルと、前記１次コイルの励磁により、電磁誘導にて前記２次コイルに２次電力を発生させ、該２次電力を負荷に供給する２次コイル用回路とを備えたものであることを特徴とする給電ダクト。
【請求項５】
請求項１〜４のいずれか１に記載の給電ダクトにおいて、
前記電気機器は、照明器具であることを特徴とする給電ダクト。
【発明の詳細な説明】
【技術分野】
【０００１】
本発明は、給電ダクトに関する。
【背景技術】
【０００２】
照明器具等の電気機器を取り付けることができるレール状のライティングダクトは、照明器具等の電気機器を容易に着脱でき、しかも、その取り付け位置を自在に変更でき、屋内外での照明機器のレイアウト変更に優れていることから益々注目されている。
【０００３】
ライティングダクトは、「給電ダクト」、「配線ダクト」又は「ライティングレール」とも呼ばれ、細長い筒形状のダクト本体が壁や天井に直接固着または吊り下げられる。この細長い筒形状のダクト本体は、長手方向に形成された給電面に、スリットが長手方向に沿って形成されている。そのスリットを介してプラグがダクト本体内に挿入され、かつ、同プラグがスリットに沿って摺動可能に取り付けられる。
【０００４】
このとき、プラグは、ダクト本体の内部に配線した導電体とプラグに設けた給電端子とを接触する。そして、ダクト本体に取り付けられたプラグは、照明器具を連結させることにより、照明器具に電力を給電する構成になっている（特許文献１）。
【先行技術文献】
【特許文献】
【０００５】
【特許文献１】特開２００９−２７２９６３号公報
【発明の概要】
【発明が解決しようとする課題】
【０００６】
ところで、一般に、給電ダクトの筐体は可撓性ではなかった。そのため、給電ダクトを平らな壁面や天井に直接設置したり、給電ダクトを吊下部材にて吊下したりして、段差や曲面を有する壁面や天井に対して直接設置することができなかった。つまり、給電ダクトを設置面に合わせて変形させて、照明器具のレイアウトを自由に変更させることができなかった。
【０００７】
そこで、湾曲した面や段差を有した面に給電ダクトを設置する場合には、その設置面に合った形状の筐体を特注で製作する必要があった。しかしながら、この場合、単品として個々に設計製作しなければならず給電ダクトが高コストとなっていた。また、この種の給電ダクトは、施工時に微小調整して取り付ける場合が多々あり、その場合には、治具を使って微調整しなければならず時間と労力を要していた。
【０００８】
本発明は、上記問題を解決するためになされたものであり、その目的は、給電ダクトを設置位置に合わせて容易に変形させて設置でき、電気機器のレイアウトを自由に変更させることができる給電ダクトを提供する。
【課題を解決するための手段】
【０００９】
本発明の給電ダクトは、内部に給電部を配置した細長いダクト本体に対して、そのダクト本体の給電面に相対向して配置されて前記給電部からの電力を供給する電気機器を取り付けられるようにした給電ダクトであって、前記ダクト本体の一部に、形状変形部位を形成したことを特徴とする。
【００１０】
前記発明の給電ダクトにおいて、ダクト本体の一部に形成した形状変形部位は、蛇腹であることを特徴とする。
前記発明の給電ダクトにおいて、ダクト本体は、その一側に接続端子を設けたことを特徴とする。
【００１１】
前記発明の給電ダクトにおいて、給電ダクトは、ダクト本体の内部に１次コイルと、前記１次コイルを励磁する１次コイル用回路とを備えた非接触給電ダクトであり、前記電気機器は、内部に２次コイルと、前記１次コイルの励磁により、電磁誘導にて前記２次コイルに２次電力を発生させ、該２次電力を負荷に供給する２次コイル用回路とを備えたものであることを特徴とする。
【００１２】
前記発明の給電ダクトにおいて、前記電気機器は、照明器具であることを特徴とする。
【発明の効果】
【００１３】
本発明によれば、給電ダクトを設置位置に合わせて容易に変形させて設置でき、電気機器のレイアウトを自由に変更させることができる。
【図面の簡単な説明】
【００１４】
【図１】ライティングダクトが設置された室内を示す図である。
【図２】ライティングダクトに取付られた照明器具の取付状態を示す斜視図である。
【図３】ライティングダクト、プラグ、照明器具の構成を示す分解斜視図である。
【図４】ライティングダクトを変形させた図である。
【図５】ライティングダクトを屈曲させた図である。
【図６】ライティングダクトの断面図である。
【図７】プラグを説明するための全体斜視図である。
【図８】ライティングダクトのプラグが取り付けられている状態を示す断面図である。
【図９】ライティングダクトと照明器具の電気的構成を示す電気ブロック回路図である。
【図１０】ライティングダクトの設置状態を示す図である。
【図１１】ライティングダクトの設置状態を示す図である。
【図１２】第２実施形態のライティングダクトの斜視図である。
【図１３】ライティングダクトの断面図である。
【図１４】ライティングダクトの使用状態を示す図である。
【発明を実施するための形態】
【００１５】
（第１実施形態）
以下、本発明の非接触の給電ダクトを照明器具に給電する非接触給電方式のライティングダクトに具体化した第１実施形態を図面に従って説明する。
【００１６】
図１において、非接触の給電ダクトとしての非接触給電方式のライティングダクト１は、室内２の壁面２ａに沿って設置されている。ライティングダクト１は、電気機器としての照明器具３が給電ダクト用のプラグとしてのプラグ４を介して連結保持されるようになっている。
【００１７】
ライティングダクト１は、図２及び図３に示すように、そのダクト本体５が合成樹脂製の細長い四角筒状の筐体なし、そのダクト本体５の裏板部５ａの外側面が壁面２ａに固設される設置面を、その裏板部５ａと相対向する表板部５ｂの外側面が照明器具３に電力を給電する給電面を構成している。
【００１８】
ダクト本体５は、裏板部５ａの幅方向の両長側辺から下方に長側板部５ｃがそれぞれ延出形成されている。また、ダクト本体５は裏板部５ａの長手方向の両短側辺から短側板部５ｄが下方にそれぞれ延出形成されている。そして、これら各板部５ａ〜５ｄによって閉塞された四角筒状のダクト本体５が形成される。
【００１９】
四角筒状のダクト本体５の一部には、四角筒状の蛇腹部６が形成されている。従って、この蛇腹部６によって、ダクト本体５は、長手方向に伸縮可能となる。また、図４に示すように、蛇腹部６を境に、ダクト本体５を異なる方向に偏倚させたり、図５に示すようにダクト本体５を屈曲させることができる。
【００２０】
ダクト本体５内には、給電部を構成する複数の１次コイルＬ１（図９参照）が表板部５ｂの内側面と平行になるように収容配置されている。複数の１次コイルＬ１は、表板部５ｂに沿って配置され、その表板部５ｂの内側面に接触するくらいに近接した位置に配置固定されている。
【００２１】
また、ダクト本体５内であって各１次コイルＬ１に隣接した裏板部５ａ側の位置には、図６に示すように、フレキシブル基板７が長手方向に沿って配置されている。長手方向に延びたフレキシブル基板７には、その近接した位置にある１次コイルＬ１をそれぞれ励磁駆動制御するための同じく給電部を構成する複数の給電モジュールＭ（図９参照）が実装されている。各給電モジュールＭはそれぞれ対応する１次コイルＬ１と接続されている。そして、各１次コイルＬ１は、各給電モジュールＭにて単独でまたは他の１次コイルＬ１と協働して励磁駆動し、ダクト本体５に連結保持された照明器具３に対して非接触給電をするようになっている。
【００２２】
尚、ダクト本体５のフレキシブル基板７は、商用電源電圧を供給する配線コード（図示せず）と接続され、電源スイッチ（図示せず）をオンさせることによって、各給電モジュールＭに駆動電源を供給するようになっている。
【００２３】
また、ダクト本体５の両長側板部５ｃの蛇腹部６を除く外側面に、断面コ字状の嵌着溝８が形成されている。両長側板部５ｃに形成された嵌着溝８は、長側板部５ｃの表板部５ｂ寄りに形成され、互いに相対向する位置であってダクト本体５の長さ方向に沿って互いに平行に形成されている。
（照明器具３）
電気機器としての照明器具３は、円柱状になし、上部に本体１１より外径が小さい縮径部１２を有している。照明器具３は、負荷としてのＬＥＤ、有機ＥＬ、無機ＥＬ等の発光素子５１（図９参照）を本体１１に内蔵し、これら発光素子５１を発光させることによって室内２の照明に供する。
【００２４】
照明器具３内であって縮径部１２に位置する箇所には、２次コイルＬ２（図９参照）が照明器具３の上面３ａと平行になるように収容配置されている。２次コイルＬ２は、ダクト本体５内に配置固定した１次コイルＬ１の励磁を介して励磁給電、すなわち、電磁誘導にて２次電力を発生する。そして、２次コイルＬ２に発生した２次電力は、２次コイル用回路としての駆動回路５２（図９参照）を介して照明器具３の発光素子５１に供給する。
【００２５】
照明器具３の縮径部１２の外側面には、図３に示すように、一対のガイド片１３が突出形成されている。一対のガイド片１３は、縮径部１２を挟んで１８０度対称位置に突出形成されている。一対のガイド片１３は、その上面１３ａが照明器具３の上面３ａと同一平面となるように形成されている。
【００２６】
また、一対のガイド片１３は、図３に示すように、その下面が両側から中央位置にいくほど下方に向かって傾斜するテーパ面１３ｂが形成されている。そして、一対のガイド片１３の下面には、両側から延びる両テーパ面１３ｂが交差する中央部分が稜線となって突起部１４が形成される。
（プラグ４）
給電ダクト用のプラグとしてのプラグ４は、同プラグ４を介して照明器具３をライティングダクト１に連結保持する。
【００２７】
プラグ４は、図３、図７に示すように、相対向して平行に配置された一対の挟持部２１と、同じく相対向して平行に配置され前記一対の挟持部２１の下部両端部間を連結する一対の収容部２２を有している。
【００２８】
一対の挟持部２１は、その相対向する相対向面２１ａ間の間隔が、ダクト本体５の両長側板部５ｃの外側面間の間隔より若干大きく形成されている。従って、一対の挟持部２１間に、ダクト本体５が図８に示すように介在し、挟持部２１の相対向面２１ａが、長側板部５ｃの外側面と対峙するようになっている。
【００２９】
挟持部２１の長手方向の両側面には、操作部材としてのボタンＢが挟持部２１内を移動可能に貫挿されている。このボタンＢを押圧操作すると、挟持部２１の相対向面２１ａに形成した貫通穴２４から突出していたロックプレートＲＰが図示しないコイルスプリングの弾性力に抗して貫通穴２４内に没入する。
【００３０】
反対に、ロックプレートＲＰが貫通穴２４に没入している状態から、押圧していたボタンＢを離すと、ロックプレートＲＰは図示しないコイルスプリングの弾性力にて貫通穴２４から突出するとともに、ボタンＢは反押圧方向に移動する。
【００３１】
従って、ボタンＢを押圧操作してロックプレートＲＰを貫通穴２４に没入させることによって、一対の挟持部２１間に、ダクト本体５を介在させ、挟持部２１の相対向面２１ａと長側板部５ｃの外側面を対峙させることができるようになっている。そして、一対の挟持部２１間にダクト本体５を介在させた状態で、押圧していたボタンＢを離すと、ロックプレートＲＰは、コイルスプリングの弾性力にて挟持部２１に形成した貫通穴２４から突出し、図７、図８に示すように、ロックプレートＲＰがダクト本体５の両長側板部５ｃの外側面の嵌着溝８に嵌着する。これによって、プラグ４はダクト本体５に連結保持される。
【００３２】
なお、プラグ４をダクト本体５から外す場合は、ボタンＢを押圧操作すればよい。押圧操作することによって嵌着溝８に嵌着していたロックプレートＲＰが嵌着溝８から離間し外れるため、プラグ４をダクト本体５から容易に外すことができる。
【００３３】
一対の挟持部２１の下部に設けられた一対の収容部２２は、相対向する一対の円弧状の枠体で形成されている。収容部２２は、図８に示すように、ロックプレートＲＰがダクト本体５を挟持連結している状態にあるとき、その上面２２ａがダクト本体５の表板部５ｂの外側面（給電面）と当接するようになっている。
【００３４】
その一対の円弧状の収容部２２の内周面で囲まれる円形の空間Ｓは、照明器具３の縮径部１２が内包される大きさに形成されている。収容部２２の内周面は、上部に内径が大きい大径部３１を、下部に内径が小さい小径部３２を有し、その大径部３１と小径部３２を結ぶ面を段差面３３としている。そして、大径部３１の曲率半径は、照明器具３の円形の上面３ａの中心から前記ガイド片１３の先端までの長さより大きくなっている。また、小径部３２の曲率半径は、大径部３１の曲率半径より小さく、照明器具３の円形の上面３ａの半径より大きくなっている。
【００３５】
段差面３３は、収容部２２の両側部から中央位置に行くほど登り傾斜のテーパ面３３ａであって、その両側から延びるテーパ面３３ａが交差する稜線部分を凹設して嵌着溝３４が形成されている。
【００３６】
照明器具３は、その上面３ａをプラグ４に向けるとともにその上面３ａの中心と収容部２２の内周面で囲まれる円形の空間Ｓの中心が一致するように、ダクト本体５に連結したプラグ４に対して対向配置する。続いて、照明器具３を、縮径部１２に突出形成した一対のガイド片１３が、一対の収容部２２と平行になるように配置して、空間Ｓ内に挿入する。このとき、照明器具３は、ガイド片１３が小径部３２に衝突することなく空間Ｓに配置される。
【００３７】
この状態から、照明器具３を空間Ｓの中心軸を中心に回動させると、照明器具３は、ガイド片１３が段差面３３より上方位置の大径部３１に案内される。これによって、一対のガイド片１３の下面（突起部１４）が段差面３３（テーパ面３３ａ）に当接し、照明器具３は収容部２２（プラグ４）と係合状態になる。
【００３８】
さらに、照明器具３を回動させると、ガイド片１３の突起部１４が段差面３３のテーパ面３３ａを摺動し、その摺動にともなって、照明器具３は上動する。すなわち、照明器具３の上面３ａは、上方に位置するダクト本体５の表板部５ｂの外側面（給電面）に近接していく。やがて、ガイド片１３の突起部１４が段差面３３の嵌着溝３４に嵌合する使用位置に回動案内される。この使用位置では、照明器具３は、その上面３ａがダクト本体５の表板部５ｂの外側面（給電面）に当接する。しかも、段差面３３の弾性変形によるガイド片１３を上に押し上げようとする押圧力によって照明器具３の上面３ａをダクト本体５の表板部５ｂの外側面（給電面）に対して押圧接触させている。
【００３９】
従って、ダクト本体５内に配置した１次コイルＬ１の励磁し電磁誘導にて２次電力を発生する際の磁束の漏れを小さくすることができ、非接触給電の効率を上げることができる。
【００４０】
さらに、この使用位置において、ガイド片１３の突起部１４が段差面３３の嵌着溝３４に嵌合していることから、人の手を加えられない限り、照明器具３が使用位置から容易に外れることはない。
【００４１】
次に、ダクト本体５と照明器具３に設けられた電気的構成を図９に従って説明する。
図９において、照明器具３に備えた２次コイルＬ２は、発光素子５１と接続され、その発光素子５１は２次コイルＬ２に発生する２次電力が駆動回路５２を介して供給され発光するようになっている。また、照明器具３には、機器側送受信回路５３が備えられている。
【００４２】
機器側送受信回路５３は、送受信アンテナＡＴ２と接続されている。機器側送受信回路５３はダクト本体５に対して該ダクト本体５にて給電を受けられる照明器具３である旨の機器認証信号ＩＤ、及び、ダクト本体５に対して給電を要求する励磁要求信号ＲＱを生成する。そして、機器側送受信回路５３は、その生成した機器認証信号ＩＤ及び励磁要求信号ＲＱを、送受信アンテナＡＴ２を介してダクト本体５に送信するようになっている。
【００４３】
一方、図９において、ダクト本体５に設けられた各１次コイルＬ１に対して給電モジュールＭがそれぞれ設けられている。また、各給電モジュールを統括制御するシステム制御部５４が設けられている。各給電モジュールＭは、励磁要求受信回路５５、機器認証受信回路５６、励磁制御回路５７、高周波インバータ回路５８を備えている。
【００４４】
励磁要求受信回路５５は、該給電モジュールＭの信号受信アンテナＡＴ１と接続され、該給電モジュールＭと対峙する給電面（表板部５ｂ）に取り付けられた照明器具３から送信された送信信号を、信号受信アンテナＡＴ１を介して受信する。励磁要求受信回路５５は、受信した送信信号から給電を要求する励磁要求信号ＲＱを抽出する。そして、励磁要求受信回路５５は、送信信号から励磁要求信号ＲＱを抽出すると、その励磁要求信号ＲＱを励磁制御回路５７に出力するようになっている。
【００４５】
機器認証受信回路５６は、該給電モジュールＭの信号受信アンテナＡＴ１と接続され、該給電モジュールＭと対峙する給電面（表板部５ｃ）に取り付けられた照明器具３から送信された送信信号を、信号受信アンテナＡＴ１を介して受信する。機器認証受信回路５６は、受信した送信信号から給電が受けられる照明器具３である機器認証信号ＩＤを抽出する。そして、機器認証受信回路５６は、送信信号から機器認証信号ＩＤを抽出すると、その機器認証信号ＩＤを励磁制御回路５７に出力するようになっている。
【００４６】
励磁制御回路５７は、その時々に出力される励磁要求受信回路５５からの励磁要求信号ＲＱ及び機器認証受信回路５６からの機器認証信号ＩＤを入力する。そして、励磁制御回路５７は、その時々で入力される励磁要求信号ＲＱ及び機器認証信号ＩＤを、自身の給電モジュールＭを識別するモジュール識別信号を付加して、システム制御部５４に出力する。
【００４７】
励磁制御回路５７は、システム制御部５４に励磁要求信号ＲＱ及び機器認証信号ＩＤを出力することにより、システム制御部５４から許可信号ＥＮを待つ。
システム制御部５４は、（１）励磁要求信号ＲＱを入力している場合であって、（２）機器認証信号ＩＤを入力している場合には、当該給電モジュールＭに接続された１次コイルＬ１を給電のために励磁駆動させる許可信号ＥＮを励磁制御回路５７に出力する。そして、励磁制御回路５７は、システム制御部５４からの許可信号ＥＮを入力すると、給電のために１次コイルＬ１を励磁駆動させる駆動制御信号ＣＴを高周波インバータ回路５８に出力する。
【００４８】
なお、システム制御部５４は、許可信号ＥＮを出力中に、励磁制御回路５７からの励磁要求信号ＲＱ及び機器認証信号ＩＤの少なくともいずれかが入力されなくなったときには、許可信号ＥＮを出力しない。従って、この場合にも、励磁制御回路５７は、駆動制御信号ＣＴを高周波インバータ回路５８に出力しない。
【００４９】
高周波インバータ回路５８は、該給電モジュールＭの１次コイルＬ１と接続されている。そして、高周波インバータ回路５８は、駆動制御信号ＣＴに基づいて１次コイルＬ１を励磁駆動させるようになっている。
【００５０】
詳述すると、高周波インバータ回路５８は、励磁制御回路５７から１次コイルＬ１を励磁駆動させるための駆動制御信号ＣＴを入力すると、給電のために１次コイルＬ１を励磁駆動させるようになっている。
【００５１】
従って、ライティングダクト１にプラグ４を介して取り付けられた照明器具３が該給電モジュールＭと対峙する給電面（表板部５ｂ）に取り付けられ、同照明器具３から機器認証信号ＩＤ及び励磁要求信号ＲＱが送信されている場合には、１次コイルＬ１は、高周波インバータ回路５８にて励磁駆動される。即ち、１次コイルＬ１は、非接触給電により照明器具３に２次電力を供給すべく励磁駆動される。
【００５２】
高周波インバータ回路５８は、発振回路５８ａとその発振回路５８ａを発振駆動させる信号を生成する励磁同期信号発生回路５８ｂを備えている。発振回路５８ａは、１次コイルＬ１と接続され同１次コイルＬ１を励磁駆動する。
【００５３】
なお、システム制御部５４は、商用電源電圧を印加する電源スイッチ（図示せず）がオンされたとき、各給電モジュールＭの高周波インバータ回路５８に対して１次コイルＬ１を間欠的に励磁駆動させるようになっている。この間欠的な各１次コイルＬ１の励磁駆動は、照明器具３の機器認証受信回路５６を働かせるためである。つまり、照明器具３がダクト本体５に取り付けられた時点では、照明器具３の機器認証受信回路５６は電力の供給を受けず休止状態にある。そこで、照明器具３がダクト本体５に取り付けられた時、１次コイルの間欠励磁によって２次コイルＬ２から２次電力を発生させ、この２次電力を機器認証受信回路５６に供給して働かせるためである。
【００５４】
従って、照明器具３は、プラグ４を介してダクト本体５に取り付けられると、その取り付けた位置にある１次コイルＬ１が励磁駆動し、その励磁駆動によって非接触給電を受けて点灯する。
【００５５】
次に、上記のように構成したライティングダクト１の設置方法について説明する。
図１０に示すように、段差を有した壁面２ａに設置する場合、ダクト本体５の裏板部５ａを壁面２ａに向ける。そして、蛇腹部６を除いた裏板部５ａが壁面２ａと平行となるように、蛇腹部６を境に、ダクト本体５の両側部をそれぞれ異なる方向に偏倚させ、裏板部５ａを壁面２ａに固設する。
【００５６】
これによって、段差を有した壁面２ａであっても、容易に該壁面２ａに沿ってライティングダクト１を設置することができる。しかも、簡単に変形する蛇腹部６を変形させるだけで、特別な治具を用いることなく簡単に設置することができる。
【００５７】
そして、壁面２ａに固設したダクト本体５に対して、プラグ４を連結保持させた後、そのプラグ４に照明器具３を取り付けることによって照明器具３の取り付けは完了する。
また、図１１に示すように、屈曲した壁面２ａに設置する場合、ダクト本体５の裏板部５ａを壁面２ａに向ける。そして、蛇腹部６を除いた裏板部５ａが壁面２ａと平行となるように、蛇腹部６を境に、ダクト本体５を屈曲させ、裏板部５ａを壁面２ａに固設する。
【００５８】
これによって、屈曲した壁面２ａであっても、容易に該壁面２ａに沿ってライティングダクト１を設置することができる。この場合でも、簡単に変形する蛇腹部６を変形させるだけで、特別な治具を用いることなく簡単に設置することができる。
【００５９】
上記のように構成することによって、本実施形態は以下の効果を有する。
（１）本実施形態によれば、ダクト本体５の一部に蛇腹部６を形成したので、ライティングダクト１を取り付け面に合わせて容易に変形させることができる。従って、ライティングダクト１の設置する場所の範囲が限定されず、照明器具３のレイアウトを自由に設定変更させることができる給電ダクトを提供する。
【００６０】
（２）本実施形態によれば、ダクト本体５の蛇腹部６は、筒状に形成されているため、を形成したので、ダクト本体５をどの方向にも変形させることができる。そのため、壁面２ａに合わせて個々に設計した高価な特注品のライティングダクトを使用しなくてもよくなる。
【００６１】
（３）本実施形態では、ライティングダクト１は非接触給電ダクトであることから、ダクト本体５内の給電部を構成する１次コイルＬ１や、給電モジュールＭが外部に露出することはない。従って、風雨にさらされる屋外でも使用でき、使用範囲を広げることができる。）
（第２実施形態）
次に、第２実施形態について、図１２に従って説明する。
【００６２】
本実施形態のライティングダクト６０は、第１実施形態のライティングダクト１が単品として使用されるのに対して、他のライティングダクトと連結して使用可能した点に特徴を有している。
【００６３】
なお、説明の便宜上、第１実施形態と共通の部分については、同じ符号を付して詳細な説明を省略する。
図１２において、ライティングダクト６０は、そのダクト本体５の一部に蛇腹部６を有し、第１実施形態のライティングダクト１と同様に、ダクト本体５が変形するようになっている。そして、ダクト本体５の短側板部５ｄの一方には、外部接続端子６１が突出形成されている。外部接続端子６１の基端は、図１３に示すように、ダクト本体５内に延び、同ダクト本体５内のフレキシブル基板７に接続されている。
【００６４】
短側板部５ｄから突出した外部接続端子６１は、別途設けたライティングダクト６２（図１４参照）の短側板部５ｄに形成した雌型プラグに差し込まれ電気的に接続されるようになっている。
【００６５】
この雌型プラグを設けたライティングダクト６２は、ライティングダクト６０と同様に、ダクト本体５内に、複数の給電モジュールＭ、これらを統括制御するシステム制御部５４を有している。また、雌型プラグを設けたライティングダクト６２は、商用電源電圧を供給する配線コード（図示せず）と接続され、電源スイッチ（図示せず）をオンさせることによって、フレキシブル基板７に実装された各給電モジュールＭに駆動電源が供給されるようになっている。
【００６６】
そして、ライティングダクト６０は、雌型プラグを設けたライティングダクト６２と連結されると、外部接続端子６１を介して給電部に商用電源電圧が印加されるようになっている。
【００６７】
従って、既に設置された雌型プラグを設けたライティングダクト６２を延長したい場合であって同ライティングダクト６２に対して少し偏倚させて延長したい場合には、図１４に示すように、既存のライティングダクト６２に対して、ライティングダクト６０を、その外部接続端子６１を雌型プラグに差し込んで連結する。そして、連結した状態で、ライティングダクト６０を所望の状態に変形させて位置決めして設置面に固定すれば、ライティングダクト６２の施工後の延長取り付け作業は完了する。
【００６８】
尚、両ライティングダクト６０，６２に連結し設置した後、図１４に示すように、両ダクト本体５を合成樹脂製の連結板６３をビス６４止めして、移動不能に連結してもよい。これによって、両ライティングダクト６０，６２は強固に連結され外れる虞がない。
【００６９】
上記のように構成することによって、本実施形態は以下の効果を有する。
（１）本実施形態では、蛇腹部６を有するライティングダクト６０の一側の外部接続端子６１を設けた。従って、既存のライティングダクト６２を延長した場合、ライティングダクト６０を既存のライティングダクト６２に連結するだけで、電源電圧の供給を受けるための配線作業を行うことなく簡単に延長作業を行うことができる。
【００７０】
（２）本実施形態では、ライティングダクト６０は、蛇腹部６によって自在に変形できるため、両ライティングダクト６０，６２を連結した状態で、ライティングダクト６０を所望の状態に変形させて位置決め調整が容易に行え、延長作業がより容易に遂行できる。
【００７１】
尚、本発明は、上記実施形態に限定されるものではなく以下のように実施してもよい。
（１）上記実施形態では、ダクト本体５の一部に形状変形部として、蛇腹部６を形成した。これを、蛇腹部６に替えて、２色成型等の成型方法で合成ゴムからなる形状変形部をダクト本体５の一部に形成して実施してもよい。
【００７２】
（２）上記実施形態のライティングダクト１は、非接触給電ダクトであったが、給電面に、スリットが長手方向に沿って形成され、ダクト本体内の導電体と照明器具がそのスリットを介して電気的に摺動可能に接続される接触給電ダクトに応用してもよい。
【００７３】
（３）上記実施形態のライティングダクト１は、照明器具３を取り付けるようにしたが、これに限定されるものではなく、スピーカ、扇風機、空調用のファン等を取り付けるように実施してもよい。つまり、ライティングダクト１に対して、照明器具３ばかりでなく、ＴＶ、フォトフレーム、小型ディスプレイ、スピーカ、扇風機、空調用のファン、空気清浄機、アロマディフューザ等の電気機器をライティングダクト１に取り付けるようにしてもよい。
【００７４】
（４）上記実施形態では、蛇腹部６を四角筒状に形成したが、これを円筒状の蛇腹部にして実施してもよい。
（５）上記実施形態では、ダクト本体５に蛇腹部６を１つ形成したが、２つ以上形成して実施してもよい。
【００７５】
（６）上記第２実施形態では、ダクト本体５の一側に外部接続端子６１を設けたが、ダクト本体５の両側に設けて実施してもよい。
（７）上記第２実施形態では、ダクト本体５の一側に設けた外部接続端子６１は、雄型の接続端子であったが、雌型であってもよい。
【００７６】
（８）上記第２実施形態では、ダクト本体５の一側に設けた外部接続端子６１は、受電ようの端子であったが、供給用の外部接続端子であってもよい。
【符号の説明】
【００７７】
１，６０，６２…ライティングダクト（給電ダクト）、２…室内、２ａ…壁面、３…照明器具（電気機器）、４…プラグ、５…ダクト本体、５ａ…裏板部、５ｂ…表板部、５ｃ…長側板部、５ｄ…短側板部、６…蛇腹部、７…フレキシブル基板、８…嵌着溝、１１…本体、１２…縮径部、１３…ガイド片、１３ａ…上面、１３ｂ…テーパ面、１４…突起部、２１…挟持部、２１ａ…相対向面、２２…収容部、２４…貫通穴、２７…ボタン、３１…大径部、３２…小径部、３３…段差面、３３ａ…テーパ面、３４…嵌着溝、５１…発光素子、５２…駆動回路、５３…機器側送受信回路、５４…システム制御部、５５…励磁要求受信回路、５６…機器認証受信回路、５７…励磁制御回路、５８…高周波インバータ回路（１次コイル用回路）、５８ａ…発振回路、５８ｂ…励磁同期信号発生回路、６１…外部接続端子、６３…連結板、６４…ビス、ＡＴ１…信号受信アンテナ、ＡＴ２…送受信アンテナ、Ｂ…ボタン、ＲＰ…ロックプレート、Ｓ…空間。
【図１】
2011249129.tif 000003
【図２】
2011249129.tif 000004
【図３】
2011249129.tif 000005
【図４】
2011249129.tif 000006
【図５】
2011249129.tif 000007
【図６】
2011249129.tif 000008
【図７】
2011249129.tif 000009
【図８】
2011249129.tif 000010
【図９】
2011249129.tif 000011
【図１０】
2011249129.tif 000012
【図１１】
2011249129.tif 000013
【図１２】
2011249129.tif 000014
【図１３】
2011249129.tif 000015
【図１４】
2011249129.tif 000016